【事件の表示】
　特許第３３４２４６２号「印刷装置」の請求項１ないし１１に係る特許に対する特許異議の申立てについて、次のとおり決定する。
【結　論】
　訂正を認める。
　特許第３３４２４６２号の請求項１ないし１１に係る特許を維持する。
【理　由】
【１】手続の経緯
　本件特許第３３４２４６２号の請求項１ないし１１に係る発明についての出願は、平成３年１１月１５日に出願した特願平３−３００５６７号の一部を新たな特許出願としたものであって、平成１４年８月２３日にその発明について特許権の設定登録がなされ、その後、神田泰貴および市東勇より特許異議の申立てがなされ、取消しの理由が通知され、その指定期間内である平成１６年９月６日に訂正請求がなされたものである。
　
【２】訂正の適否についての判断
１．訂正事項
　訂正前の請求項２、１０、１１を削除し、同請求項３〜９を請求項２〜８に、同請求項１２〜１４を請求項９〜１１に変更し以下の訂正を行う。
ａ．請求項１を、
「外部装置から入力した印刷データに基づいて印刷する印刷装置において、
　不揮発性のメモリ手段と、
　ユーザーによる保存指令
に従う保存モード
　
前記入力した印刷データを印刷するデータ印刷制御手段と、
　
前記データ印刷制御手段による前記印刷データの印刷が終了したとき、前記保存モードを解除する保存解除手段と、
　前記第１メモリ制御手段によって前記メモリ手段に前記ファイルデータが記憶された後におけるユーザーによる前記ファイルデータの印刷指令に応じて、前記メモリ手段から印刷指令された前記ファイルデータを読み出す第２メモリ制御手段と、
　前記印刷指令に応じて前記第２メモリ制御手段によって読み出された前記ファイルデータに基づいて印刷を行う
直接
ｂ．請求項２を、
「前記第１メモリ制御手段は、前記ファイルデータのファイル名と前記ファイルデータを前記メモリ手段に記憶させ、前記第２メモリ制御手段は、ユーザーによって印刷指令されたファイル名に対応する前記ファイルデータを前記メモリ手段から読み出すことを特徴とする請求項
１
ｃ．請求項３を、
「ユーザーが前記印刷指令を示すための印刷指令モードを有し、その印刷指令モードにおいて、前記メモリ手段に前記ファイルデータが記憶されていない場合には、前記メモリ手段に前記ファイルデータが記憶されていないことを報知する報知手段を備えていることを特徴とする請求項１
又は２
ｄ．請求項４を、
「前記メモリ手段に記憶された前記ファイルデータを削除する削除手段を備えていることを特徴とする請求項１〜
３
ｅ．請求項５を
「ユーザーによる前記ファイルデータの削除指令に応じて、前記削除手段が削除指令された前記ファイルデータの削除を行うことを特徴とする請求項
４
ｆ．請求項６を
「ユーザーが前記削除指令を示すための削除モードを有し、その削除モードにおいて、前記メモリ手段に前記ファイルデータが記憶されていない場合には、前記メモリ手段に前記ファイルデータが記憶されていないことを報知する報知手段を備えていることを特徴とする請求項
５
ｇ．請求項７を、
「前記第１メモリ制御手段は、前記ファイルデータのファイル名と前記ファイルデータを前記メモリ手段に記憶させ、前記削除手段は、ユーザーによって削除指令されたファイル名と、そのファイル名に対応する前記ファイルデータを前記メモリ手段から削除することを特徴とする請求項
５
６
ｈ．請求項８を、
「ユーザーが前記ファイル名を指定するファイル名指定手段を備え、前記第１メモリ制御手段は、指定されたファイル名と前記ファイルデータを前記メモリ手段に記憶させることを特徴とする請求項
２
７
ｉ．請求項９を、
　「外部装置から入力した印刷データに基づいて印刷する印刷装置において、
　不揮発性のメモリ手段と、
　ユーザーによる保存指令
に従う保存モード
前記
　
前記入力した印刷データを印刷するデータ印刷制御手段と、
　
前記データ印刷制御手段による前記印刷データの印刷が終了したとき、前記保存モードを解除する保存解除手段と、
　前記ファイルデータの印刷をそのファイル名にて示すユーザーによる印刷指令に応じて、ユーザーによって印刷指令されたファイル名に対応する前記ファイルデータを前記メモリ手段から読み出す第２メモリ制御手段と、
　前記印刷指令に応じて前記第２メモリ制御手段によって読み出された前記ファイルデータに基づいて印刷を行う
直接
ｊ．請求項１０を、
「外部装置から入力した印刷データに基づいて印刷する印刷装置において、
　不揮発性のメモリ手段と、
　ユーザーによる保存指令
に従う保存モードに
前記
　
前記入力した印刷データを印刷するデータ印刷制御手段と、
　
前記データ印刷制御手段による前記印刷データの印刷が終了したとき、前記保存モードを解除する保存解除手段と、
　ユーザーが前記ファイルデータの印刷指令を示すための印刷指令モードにおいてユーザーにより示された印刷指令に応じて、前記メモリ手段から前記ファイルデータを読み出す第２メモリ制御手段と、
　前記印刷指令に応じて前記第２メモリ制御手段によって読み出された前記ファイルデータに基づいて印刷を行う
直接
　前記印刷指令モードにおいて、前記メモリ手段に前記ファイルデータが記憶されていない場合には、前記メモリ手段に前記ファイルデータが記憶されていないことを報知する報知手段とを備えたことを特徴とする印刷装置。」と訂正する。
ｋ．請求項１１を、
「外部装置から入力した印刷データに基づいて印刷する印刷装置において、
　不揮発性のメモリ手段と、
　ユーザーによる保存指令
に従う保存モード
前記
　
前記入力した印刷データを印刷するデータ印刷制御手段と、
　
前記データ印刷制御手段による前記印刷データの印刷が終了したとき、前記保存モードを解除する保存解除手段と、
　ユーザーによる前記ファイルデータの印刷指令に応じて、前記メモリ手段から前記ファイルデータを読み出す第２メモリ制御手段と、
　前記印刷指令に応じて前記第２メモリ制御手段によって読み出された前記ファイルデータに基づいて印刷を行う
直接
　ユーザーによる前記ファイルデータの削除指令に応じて、削除指令された前記ファイルデータの削除を行う削除手段とを備えたことを特徴とする印刷装置。」と訂正する。
ｌ．段落番号【０００７】の記載を、
「【課題を解決するための手段】この目的を達成するために本発明の請求項１の印刷装置は、外部装置から入力した印刷データに基づいて印刷する印刷装置において、不揮発性のメモリ手段と、ユーザーによる保存指令
に従う保存モード
前記
前記入力した印刷データを印刷するデータ印刷制御手段と、前記データ印刷制御手段による前記印刷データの印刷が終了したとき、前記保存モードを解除する保存解除手段と、
直接
ｍ．段落番号【０００８】の記載を、
「このような構成によると、ユーザーによる保存指令
に従う保存モ一ド
前記データ印刷制御手段による入力した印刷データの印刷が終了したとき、前記保存解除手段が保存モードを解除する。また、
ｎ．段落番号【０００９】の記載を削除する。
ｏ．段落番号【００１１】 の記載を、
「また、請求項
２
ｐ．段落番号【００１３】の記載を、
「また、請求項
３
２
ｑ．段落番号【００１５】の記載を、
「また、請求項
４
３
ｒ．段落番号【００１７】の記載を、
「また、請求項
５
４
ｓ．段落番号【００１９】の記載を、
「また、請求項
６
５
ｔ．段落番号【００２１】の記載を、
「また、請求項
７
５
６
ｕ．段落番号【００２２】の記載を、
「このように構成すると、前記保存指が示されると、前記第１メモリ制御手段によって、前記ファイルデータのファイル名と前記ファイルデータが前記メモリ手段に記憶され、ユーザーによってファイル名にて前記削除指令が示されると、指令されたファイル名と、そのファイル名に対応する前記ファイルデータが前記削除手段によって削除される。また、請求項
８
２
７
　請求項
９
に従う保存モード
前記
前記入力した印刷データを印刷するデータ印刷制御手段と、前記データ印刷制御手段による前記印刷データの印刷が終了したとき、前記保存モードを解除する保存解除手段と、
直接
　このような構成によると、ユーザーによる保存指令
に従う保存モード
前記データ印刷制御手段によって入力した印刷データの印刷がなされ、その印刷が終了したとき、前記保存解除手段が保存モードを解除する。また、
　請求項
１０
に従う保存モード
前記
前記入力した印刷データを印刷するデータ印刷制御手段と、前記データ印刷制御手段による前記印刷データの印刷が終了したとき、前記保存モードを解除する保存解除手段と、
直接
　このような構成によると、ユーザーによる保存指令
に従う保存モード
前記データ印刷制御手段によって入力した印刷データの印刷がなされ、その印刷が終了したとき、前記保存解除手段が保存モードを解除する。また、
　請求項
１１
に従う保存モード
前記
前記入力した印刷データを印刷するデータ印刷制御手段と、前記データ印刷制御手段による前記印刷データの印刷が終了したとき、前記保存モードを解除する保存解除手段と、
直接
　このような構成によると、ユーザーによる保存指令
に従う保存モード
前記データ印刷制御手段によって入力した印刷データの印刷がなされ、その印刷が終了したとき、前記保存解除手段が保存モードを解除する。また、
ｖ．段落番号【００７０】を、
「【発明の効果】以上説明したことから明かなように、本発明の請求項１の印刷装置によれば、前記第１メモリ制御手段によって前記メモリ手段に前記ファイルデータが記憶された後において前記メモリ手段に記憶された前記ファイルデータを印刷したいときは、ユーザーが印刷指令を示し、前記第２メモリ制御手段によって前記メモリ手段から印刷指令された前記ファイルデータを読み出させ、前記印刷制御手段によってその前記ファイルデータに基づいて印刷を行うので、印刷を行う際に外部装置からの印刷データの入力を行うことなく印刷することができる。
また、入力した印刷データは前記データ印刷制御手段によって印刷され、その印刷が終了したとき、前記保存解除手段によって保存モードが解除できる。
ｗ．段落番号【００７１】を、
「また、請求項
１
ｘ．段落番号【００７２】の記載を、
「また、請求項
２
ｙ．段落【００７３】の記載を、
「また、請求項
３
ｚ．段落【００７４】の記載を、
「また、請求項
４
ａ１．段落【００７５】の記載を、
「また、請求項
５
ｂ１．段落【００７６】の記載を、
「また、請求項
６
ｃ１．段落【００７７】の記載を、
「また、請求項
７
　また、請求項
８
　請求項
９
に従う保存モード
また、入力した印刷データは前記データ印刷制御手段によって印刷され、その印刷が終了したとき、前記保存解除手段によって保存モードが解除できる。
　請求項
１０
また、入力した印刷データは前記データ印刷制御手段によって印刷され、その印刷が終了したとき、前記保存解除手段によって保存モードが解除できる。
　請求項
１１
また、入力した印刷データは前記データ印刷制御手段によって印刷され、その印刷が終了したとき、前記保存解除手段によって保存モードが解除できる。
　
２．訂正の目的の適否、新規事項の有無および拡張・変更の存否
（１）．訂正事項ａについては、
（ア）「ユーザーによる保存指令
に従う保存モード
前記
（イ）「
前記入力した印刷データを印刷するデータ印刷制御手段と、
（ウ）「
前記データ印刷制御手段による前記印刷データの印刷が終了したとき、前記保存モードを解除する保存解除手段と、
　また、（エ）「前記印刷指令に応じて前記第２メモリ制御手段によって読み出された前記ファイルデータに基づいて印刷を行う
直接
直接
　したがって、訂正事項ａにおける前記（ア）（イ）（ウ）は特許請求の範囲の減縮を目的としたものに該当し、同じく前記（エ）は明りょうでない記載の釈明を目的としたものに該当する。
　
（２）．訂正事項ｂ〜ｈについては、訂正前の請求項２を削除したことにともない明りょうでなくなった点を明りょうにする訂正であり、明りょうでない記載の釈明を目的としたものに該当する。
　
（３）．訂正事項ｉ〜ｋについては、その内容は訂正事項ａの場合と実質的に同じである。（上記（１）を参照）
　
（４）．訂正事項ｌ〜ｃ１は、特許請求の範囲を訂正したことにより明りょうでなくなった点を明りょうにする訂正であり、明りょうでない記載の釈明を目的としたものに該当する。
　
 　以上のように、上記訂正事項ａ〜ｃ１は、特許請求の範囲の減縮または明りょうでない記載の釈明を目的とした明細書の訂正に該当し、かつ、新規事項の追加に該当せず、実質的に特許請求の範囲を拡張又は変更するものではない。
　
３．むすび
　以上のとおりであるから、上記訂正請求は、特許法第１２０条の４第２項及び第３項において準用する特許法第１２６条第２項及び第３項の規定に適合するので、当該訂正を認める。
　
【３】特許異議申立てについての判断
１．異議申立ての概要
　申立人神田泰貴は、甲第１号証（特開平２−１３１６６４号公報）、甲第２号証（特開平１−１９００７２号公報）、甲第３号証（特開平１−２４９４６９号公報）、甲第４号証（特開平１−１６０２５３号公報）、甲第５号証（特開平２−２４５８２２号公報）、甲第６号証（特開平４−３６４９７１号公報）、甲第７号証（特許第３３４２４６３号公報）を提出し、次のように主張している。
　本件特許に係る各請求項記載の発明は、甲第１号証から甲第５号証記載の発明に基づいて当業者が容易に発明をすることができたものであるから、特許法第２９条第２項の規定に該当する。また、本件特許に係る請求項１〜４，９，１３に記載の発明は、原出願日前の出願について原出願日後に出願公開された甲第６号証記載の発明と同一であるから、特許法第２９条の２本文の規定に該当する。さらに、本件特許の各請求項記載の発明は、本件特許の出願日と同一の出願に係る特許である甲第７号証の各請求項記載の発明とそれぞれ同一であるから、特許法第３９条第２項の規定に違反している。したがって、本件特許は特許法第１１３条の規定により取り消されるべきものである。
　申立人市東勇は、甲第１号証（特開平１−１００６２５号公報）、甲第２号証（特開平２−３８０７６号公報）、甲第３号証（特願平３−３０５５０２号出願の写し）、甲４第号証（特開平６−４００９２号公報）を提出し、次のように主張している。
　本件特許に係る請求項１および１２に係る発明は甲第１号証記載の発明と同じであるから特許法第２９条第１項第３号に該当して特許を受けることができないものであり、また、請求項１〜１４に係る発明は、甲第１、２号証記載の発明に基づいて当業者が容易に発明をすることができたものであるから、特許法第２９条第２項に該当して特許を受けることができないものであり、さらに、本件特許に係る請求項１〜１４に記載の発明は、甲第３，４号証記載の発明と同一であるから、特許法第２９条の２の規定により特許を受けることができないものである。
　したがって、本件特許は特許法第１１３条の規定により取り消されるべきものである。
　
２．本件発明
　上記【２】で示したように上記訂正が認められるから、本件特許の請求項１〜１１に係る発明（以下「本件訂正発明１〜１１」という。）は、上記訂正請求に係る訂正明細書（以下、「本件訂正明細書」という。）の特許請求の範囲の請求項１〜１１に記載されたとおりのものである。
　
３．特許法第２９条第１項第３号又は同条第２項について
（１）甲各号証の刊行物に記載された発明
・申立人神田泰貴が提出した甲第１号証（特開平２−１３１６６４号公報、以下「刊行物１」という。）
　刊行物１には、第２頁左下欄第１３行〜同頁右下欄第１２行、第３頁右下欄第２０行〜第４頁右上欄第１０行、第４頁左下欄第１行〜第７行、の記載からみて「ホスト計算機より作成された画像データに基づいてカラー画像を印刷出力するカラー画像記録装置であって、当該カラー画像記録装置に大容量光ディスク装置を設けると共に光ディスクインタフェースおよび入出力制御部を設け、キーボードを介して入出力制御部に必要な指定を行うことによってホスト計算機により作成された多量の画像データを大容量光ディスク装置に蓄積し、キーボードを介して所望の画像データを指定して読み出し、カラー画像を印刷可能としたカラー画像記録装置」の発明が記載されているものと認める。
　
・特開平１−１９００７２号公報（申立人神田泰貴の提出した甲第２号証、以下「刊行物２」という。）
　刊行物２には、第２頁左上欄第７〜１３行、第２頁右上欄第１０行〜同頁左下欄第３行、第２頁左下欄第９〜１３行、第２頁右下欄第１０行〜第３頁第２０行、第３頁右上欄第１１〜１８行の記載からみて「相手局から、受信画像とともに受信した識別コードをファイル名として上記受信画像を蓄積する画像記憶装置と、上記蓄積された識別コードを表示する画像表示装置と、この画像表示装置に表示されている上記識別コードに対応する画像を印字することを指示する画像印字指示手段と、この画像印字指示手段が指示した画像を印字する画像印字装置とを有する画像受信装置」の発明が記載されているものと認める。
　
・特開平１−２４９４６９号公報（申立人神田泰貴の提出した甲第３号証、以下「刊行物３」という。）
　刊行物３には、第２頁左下欄第１〜７行、第２頁左下欄第１８行〜第３頁左上欄第１行、第３頁左上下欄第５〜１４行の記載からみて「上位機から送られてくる情報をそのまま印字部から印字出力する第１の動作モードと、制御部と上位機もしくは印字部との通信内容をファイル手段に記録するとともに印字部から印字出力する第２の動作モードと、前記ファイル手段に記録された通信内容を予め定められた所定のフォーマットで印字部から印字出力する第３の動作モードとを備えるプリンタ装置」の発明が記載されているものと認める。
　
・特開平１−１６０２５３号公報（申立人神田泰貴の提出した甲第４号証、以下「刊行物４」という。）
　刊行物４には、第１頁右下欄第１２〜１７行、第２頁左下欄第１行〜第１７行、第５頁左下欄第１０〜１９行、第５頁右下欄第４行〜第６頁左上欄第１２行、第６頁右下欄第１０〜１２行の記載からみて「スキャナから読み取った画像信号をプリンタに出力するという「紙から紙への複写機能」に加え、スキャナから読み取った画像信号をフロッピーディスク（ＦＤ）に記録する「紙からＦＤへ複写機能」と、ＦＤに記録された画像信号を再生し、プリンタに出力するという「ＦＤから紙への複写機能」を併せ持つプリンタ装置」の発明が記載されているものと認める。
　
・特開平２−２４５８２２号公報（申立人神田泰貴の提出した甲第５号証、以下「刊行物５」という。）
　刊行物５には、第２頁右下欄第２〜１５行、第３頁右上欄第９行〜第１１行、第３頁右上欄第１３〜１６行の記載からみて「ホストコンピュータより印字データを受信し、該データを印字紙１ページ毎のビットイメージデータに変換する機能と、該ビットイメージを記憶する手段とを備え、
　該ビットイメージを記憶する手段がビットイメージ発生部とビデオ信号発生部との間に接続される第１記憶手段と、データバスにより前記第１記憶手段と接続され前記第１記憶手段の内容を転送可能なる第２記憶手段とを有し、ビットイメージを第２記憶手段に格納する制御においては、ホストコンピュータより受信した印字データをビットデータに変換して第１記憶手段に格納するとともに第２記憶手段に格納し、更に第１記憶手段よりビデオデータ発生部へ出力して印字処理をするようにしたページプリンタ」の発明が記載されているものと認める。
　
・特開平１−１００６２５号公報（申立人市東勇が提出した甲第１号証、以下「刊行物６」という。）
　刊行物６には、第２頁右下欄第２〜７行、第３頁左上欄第１０行〜右上欄第７行、第３頁右上欄第１０〜１６行、第３頁右上欄第１７行〜左下欄第６行、第３頁左下欄第７〜１４行、第３頁左下欄第１５〜右下欄第５行の記載からみて「複数のホストから入力される複数の印刷ジョブについて、入力される順序とは無関係に、指定された順序で印刷処理を実行できる印刷装置において、印字出力すべきデータを一時記憶する外部記憶装置および印字制御情報を入力する操作パネルを備え、オンラインモード時に操作パネルから外部記憶装置に対する格納指令コード、データ番号が入力されると、外部ホストシステムから入力された文字データが外部記憶装置の該当データ番号のデータ領域に書き込まれ、オフラインモード時に、外部記憶装置に記憶された文字データを操作パネルにて設定された印字制御情報に基づいて印字出力させることが可能な印刷装置」の発明が記載されているものと認める。
　
・特開平２−３８０７６号公報（申立人市東勇が提出した甲第２号証、以下「刊行物７」という。）
　刊行物７には、第２頁左下欄第９〜１４行、第３頁左上欄第１７行〜同頁左下欄第１５行の記載からみて「上位装置からの印字データの印字を行うプリンタ装置において、印字されるデータと同じ内容の印字データを不揮発性のデータ記憶手段にそのまま格納し、ユーザのコピー指令により前記データ記憶手段から前記印字データを読み出して上位装置との接続なしで前記印字データのコピーを可能とした構成のプリンタ装置」の発明が記載されている。
（２）対比・判断
　本件訂正発明１〜１１と刊行物１〜７に記載された発明とを対比すると、本件訂正発明１〜１１は、いずれも発明の構成要件として“外部装置から入力した印刷データを印刷するデータ印刷制御手段による印刷データの印刷が終了したとき、ユーザーによる保存指令に従う保存モードを解除する保存解除手段”を備えるものであるが、刊行物１〜７に記載された各発明には、このような保存解除手段に相当するものはない。また、刊行物１〜７のいずれにも当該保存解除手段に関する記載はなく、それを示唆する記載もない。
　そして、本件訂正発明１〜１１は、前記の構成要件により、保存モードで印刷をした場合、印刷後には保存モードを自動的に解除することができるので、使用者による保存解除指令の入力作業が不要となり、また、次に入力した印刷データの印刷を行う場合、メモリ手段に記憶させる必要がない印刷データを誤って保存処理することがないという明細書記載の作用効果を奏するものである。
　したがって、本件訂正発明１〜１１は、刊行物１〜７に記載のいずれの発明とも同一ではなく、また、刊行物１〜７に記載の発明から当業者が容易に発明をすることができたものではない。
　よって、本件特許異議の特許法第２９条第１項第３号または同法第２項についての申立人の主張は採用することができない。
　
４．特許法第２９条の２について
　申立人神田泰貴が、本件特許明細書の請求項１〜４、９、１３に係る発明と同一の発明が記載されているとして提出した甲第６号証の出願の当初明細書・図面には、ホストコンピュータ等の上位機器から入力される印刷情報に基づき印刷を行なう印刷装置において、データを格納する格納手段と、該格納手段にデータを格納するよう指示する第１の指示手段と、前記格納手段に格納されたデータを印刷するよう指示する第２の指示手段とを設けることにより、入力される複数の印刷ジョブについて、入力される順序とは無関係に、指定された順序で印刷処理を実行できるようにした印刷装置の発明が記載されている。
　また、申立人市東勇が本件特許の各請求項に記載の発明と同一の発明が記載されているとして提出した甲第３、４号証の出願の当初明細書・図面には、供給された印刷情報をドットデータに変換し、そのドットデータに基づいてプリント動作するプリント装置であって、外部機器から入力された印刷情報を、一旦プリントアウトした後でも、簡単に、かつ効率よく、外部機器からの指示なしに再利用することができるように、ドットデータを複数ページ分記憶する画像メモリと、記憶されている複数ページ分のドットデータ中の任意のものを指示する制御回路とを設け、指示されたドットデータを画像メモリより読み出してプリントアウト等を行うようにしたプリント装置の発明が記載されている。
　しかし、前記各出願の当初明細書・図面には、本件訂正発明１〜１１が構成要件としているところの「外部装置から入力した印刷データを印刷するデータ印刷制御手段による印刷データの印刷が終了したとき、ユーザーによる保存指令に従う保存モードを解除する保存解除手段」についての記載はなく、それを示唆する記載もないことから、前記各出願の当初明細書・図面に本件訂正発明１〜１１と同一の発明が記載されているものとは認められない。
　したがって、本件訂正発明１〜１１は、申立人が提出している前記各甲号証の出願の当初明細書・図面に記載されている発明と同一であるとはいえないので、本件特許異議の特許法第２９条の２についての申立人の主張は採用することができない。
　
５．特許法第３９条第２項について
　申立人神田泰貴は、特許第３３４２４６３号公報である甲第７号証を提出し、本件特許の各請求項に係る発明は、本件特許の出願日と同一の出願に係る特許である甲第７号証の各請求項記載の発明とそれぞれ同一であるから、特許法第３９条第２項の規定に違反している旨主張している。
　しかし、本件訂正発明１〜１１は“外部装置から入力した印刷データを印刷するデータ印刷制御手段による印刷データの印刷が終了したとき、ユーザーによる保存指令に従う保存モードを解除する保存解除手段”を発明の構成要件として含むものとなったのに対し、特許第３３４２４６３号の各請求項に係る発明は前記の保存解除手段に相当するものを発明の構成要件として備えていない。
　したがって、本件訂正発明１〜１１が特許第３３４２４６３号の各請求項に係る発明と同一であるとはいえない。
　よって、本件特許異議の特許法第３９条第２項についての申立人の主張は採用することができない。
　
【４】むすび
　以上のとおり、本件各特許異議の申立はいずれも理由がないものであり、したがって、異議申立のいずれの理由によっても本件訂正明細書の特許請求の範囲の請求項１〜１１に係る特許を取り消すことはできない。
　また、他に本件訂正明細書の特許請求の範囲の請求項１〜１１に係る特許を取り消す理由は見あたらない。
　
     　よって、結論のとおり決定する。
【異議決定日】
平成１７年７月２９日（２００５．７．２９）
【訂正の要旨】
審決（決定）の【理由】欄参照。
（５４）【発明の名称】
印刷装置
（５７）【特許請求の範囲】
　【請求項１】外部装置から入力した印刷データに基づいて印刷する印刷装置において、
　不揮発性のメモリ手段と、
　ユーザーによる保存指令
に従う保存モード
前記
　
前記入力した印刷データを印刷するデータ印刷制御手段と、
　
前記データ印刷制御手段による前記印刷データの印刷が終了したとき、前記保存モードを解除する保存解除手段と、
　前記第１メモリ制御手段によって前記メモリ手段に前記ファイルデータが記憶された後におけるユーザーによる前記ファイルデータの印刷指令に応じて、前記メモリ手段から印刷指令された前記ファイルデータを読み出す第２メモリ制御手段と、
　前記印刷指令に応じて前記第２メモリ制御手段によって読み出された前記ファイルデータに基づいて印刷を行う
直接
　【請求項
２
１
　【請求項
３
又は２
　【請求項
４
３
　【請求項
５
４
　【請求項
６
５
　【請求項
７
５
６
　【請求項
８
２
７
　【請求項
９
　不揮発性のメモリ手段と、
　ユーザーによる保存指令
に従う保存モード
前記
　
前記入力した印刷データを印刷するデータ印刷制御手段と、
　
前記データ印刷制御手段による前記印刷データの印刷が終了したとき、前記保存モードを解除する保存解除手段と、
　前記ファイルデータの印刷をそのファイル名にて示すユーザーによる印刷指令に応じて、ユーザーによって印刷指令されたファイル名に対応する前記ファイルデータを前記メモリ手段から読み出す第２メモリ制御手段と、
　前記印刷指令に応じて前記第２メモリ制御手段によって読み出された前記ファイルデータに基づいて印刷を行う
直接
　【請求項
１０
　不揮発性のメモリ手段と、
　ユーザーによる保存指令に
従う保存モードに
前記
　
前記入力した印刷データを印刷するデータ印刷制御手段と、
　
前記データ印刷制御手段による前記印刷データの印刷が終了したとき、前記保存モードを解除する保存解除手段と、
　ユーザーが前記ファイルデータの印刷指令を示すための印刷指令モードにおいてユーザーにより示された印刷指令に応じて、前記メモリ手段から前記ファイルデータを読み出す第２メモリ制御手段と、
　前記印刷指令に応じて前記第２メモリ制御手段によって読み出された前記ファイルデータに基づいて印刷を行う
直接
　前記印刷指令モードにおいて、前記メモリ手段に前記ファイルデータが記憶されていない場合には、前記メモリ手段に前記ファイルデータが記憶されていないことを報知する報知手段とを備えたことを特徴とする印刷装置。
　【請求項
１１
　不揮発性のメモリ手段と、
　ユーザーによる保存指令に
従う保存モード
前記
　
前記入力した印刷データを印刷するデータ印刷制御手段と、
　
前記データ印刷制御手段による前記印刷データの印刷が終了したとき、前記保存モードを解除する保存解除手段と、
　ユーザーによる前記ファイルデータの印刷指令に応じて、前記メモリ手段から前記ファイルデータを読み出す第２メモリ制御手段と、
　前記印刷指令に応じて前記第２メモリ制御手段によって読み出された前記ファイルデータに基づいて印刷を行う
直接
　ユーザーによる前記ファイルデータの削除指令に応じて、削除指令された前記ファイルデータの削除を行う削除手段とを備えたことを特徴とする印刷装置。
【発明の詳細な説明】
　【０００１】
　【産業上の利用分野】本発明は、外部装置からキャラクタコードや制御コマンド等を含む印刷データを入力し、この印刷データに基づいて印刷を行うプリンタ或は写植機等の印刷装置に関する。
　【０００２】
　【従来の技術】従来、プリンタ或は写植機等の印刷装置はホストコンピュータ等よりなる外部装置から入力されたキャラクタコードや制御コマンド等を含む印刷データをデータ作成手段が解析し、印刷データに基づいて印刷手段は用紙上に印刷を行う。このとき、入力された印刷データは印刷終了後には全て失われていた。
　【０００３】従って、再度、同じ印刷データを印刷したい場合、必ず外部装置から同じ印刷データを入力しなければならなかった。
　【０００４】
　【発明が解決しようとする課題】しかしながら、印刷装置が印刷を行うには、印刷装置に接続されている外部装置が使用可能な状態でなければならない。
　【０００５】従って、同一印刷物を複数枚印刷する場合、長時間印刷装置と外部装置を占有しなければならない。又、一度印刷した印刷物を別の機会に印刷しようとする場合、再び同じ時間だけ印刷装置と外部装置を占有しなければならない。
　【０００６】本発明は、上述した問題点を解決するためになされたものであり、印刷を行う際に外部装置からの印刷データの入力を行うことなく印刷することが可能な印刷装置を提供することを目的とする。
　【０００７】
　【課題を解決するための手段】この目的を達成するために本発明の請求項１の印刷装置は、外部装置から入力した印刷データに基づいて印刷する印刷装置において、不揮発性のメモリ手段と、ユーザーによる保存指令
に従う保存モード
前記
前記入力した印刷データを印刷するデータ印刷制御手段と、前記データ印刷制御手段による前記印刷データの印刷が終了したとき、前記保存モードを解除する保存解除手段と、
直接
　【０００８】このような構成によると、ユーザーによる保存指令
に従う保存モード
前記データ印刷制御手段による入力した印刷データの印刷が終了したとき、前記保存解除手段が保存モードを解除する。また、
　【０００９】
　【００１０】このような構成にすると、前記保存指令が示されているか否かに関わらず、入力した印刷データの印刷が行われ、前記ファイルデータの前記メモリ手段への記憶は保存指令が示されている場合のみ行われる。
　【００１１】また、請求項
２
　【００１２】このように構成すると、前記保存指令が示されると、前記第１メモリ制御手段によって、前記ファイルデータのファイル名と前記ファイルデータが前記メモリ手段に記憶され、ユーザーによってファイル名にて前記印刷指令が示されると、指令されたファイル名に対応する前記ファイルデータが前記第２メモリ制御手段により前記メモリ手段から読み出される。
　【００１３】また、請求項
３
２
　【００１４】このように構成すると、前記印刷指令モードにおいて、前記メモリ手段に前記ファイルデータが記憶されていない場合には、前記報知手段によって、前記メモリ手段に印刷する前記ファイルデータが記憶されていないことが報知される。
　【００１５】また、請求項
４
３
　【００１６】このように構成すると、前記削除手段によって、前記メモリ手段に記憶された前記ファイルデータが削除される。
　【００１７】また、請求項
５
４
　【００１８】このように構成すると、ユーザーが、前記メモリ手段に記憶された前記ファイルデータの削除指令を示すと、前記削除手段により削除指令された前記ファイルデータが削除される。
　【００１９】また、請求項
６
５
　【００２０】このように構成すると、前記削除モードにおいて、前記メモリ手段に前記ファイルデータが記憶されていない場合には、前記報知手段によって、前記メモリ手段に削除する前記ファイルデータが記憶されていないことが報知される。
　【００２１】また、請求項
７
５
６
　【００２２】このように構成すると、前記保存指令が示されると、前記第１メモリ制御手段によって、前記ファイルデータのファイル名と前記ファイルデータが前記メモリ手段に記憶され、ユーザーによってファイル名にて前記削除指令が示されると、指令されたファイル名と、そのファイル名に対応する前記ファイルデータが前記削除手段によって削除される。また、請求項
８
２
７
　請求項
９
に従う保存モード
前記
前記入力した印刷データを印刷するデータ印刷制御手段と、前記データ印刷制御手段による前記印刷データの印刷が終了したとき、前記保存モードを解除する保存解除手段と、
直接
　このような構成によると、ユーザーによる保存指令
に従う保存モード
前記データ印刷制御手段によって入力した印刷データの印刷がなされ、その印刷が終了したとき、前記保存解除手段が保存モードを解除する。また、
　請求項
１０
に従う保存モードに
前記
前記入力した印刷データを印刷するデータ印刷制御手段と、前記データ印刷制御手段による前記印刷データの印刷が終了したとき、前記保存モードを解除する保存解除手段と、
直接
　このような構成によると、ユーザーによる保存指令
に従う保存モード
前記データ印刷制御手段によって入力した印刷データの印刷がなされ、その印刷が終了したとき、前記保存解除手段が保存モードを解除する。また、
　請求項
１１
に従う保存モード
前記
前記入力した印刷データを印刷するデータ印刷制御手段と、前記データ印刷制御手段による前記印刷データの印刷が終了したとき、前記保存モードを解除する保存解除手段と、
直接
このような構成によると、ユーザーによる保存指令
に従う保存モード
前記データ印刷制御手段によって入力した印刷データの印刷がなされ、その印刷が終了したとき、前記保存解除手段が保存モードを解除する。また、
　【００２３】
　【発明の実施の形態】以下、本発明の実施の形態について図面を参照して説明する。本実施の形態では本発明をレーザプリンタに適用した例で示す。
　【００２４】レーザプリンタの制御部の構成は、図１に示ように、ＣＰＵ１１、ＲＯＭ１２、ＲＡＭ１３、インターフェイス１４、キー入力部１５、印刷部１６、表示制御部１７及びハードディスク装置１８から構成され、これらがバス１９により接続されている。
　【００２５】ＣＰＵ１１は、この制御部の動作全てを制御する。
　【００２６】ＲＯＭ１２は、この制御部の制御プログラム、インターフェイス１４を通じて入力される印刷データに含まれる制御コマンドの解析やドットイメージデータを作成するためのプログラム、及び前記印刷データに含まれるキャラクタコードに対応するフォント等の各種データを記憶している。
　【００２７】ＲＡＭ１３は、各種データを一時的に記憶するものであり、外部装置２０から入力した印刷データを一時的に記憶する受信バッファ１３ａ、印刷データから作成されたドットイメージデータを一時的に記憶するイメージバッファ１３ｂ、後述のハードディスク装置１８にドットイメージデータを保存する際のファイル名を記憶するファイル名バッファ１３ｃ、ドットイメージデータを保存するか否かを指示するフラグＦの値を記憶するフラグ領域１３ｄ、制御中に発生するデータを一時記憶するワークエリア１３ｅ等を備えている。
　【００２８】インターフェイス１４には、パソコンやワークステーション等のホストコンピュータからなる外部装置２０が接続され、外部装置２０からキャラクタコードや制御コマンド等を含む印刷データを入力する。
　【００２９】キー入力部１５は、後述のパネル部２１（図２に示す）に設けられたキーボード部２２のキー操作情報を入力する。
　【００３０】印刷部１６は、電子写真方式によりドットイメージデータに基づいてドットパターンを用紙上に印刷する。
　【００３１】表示制御部１７は、パネル部２１に設けられた液晶ディスプレイ２３を接続し、ＣＰＵ１１からの指令に従って、液晶ディスプレイ２３に必要に応じてメッセージを出力する。
　【００３２】ハードディスク装置１８は、大容量の不揮発性記憶媒体であるハードディスク１８ａと、そのハードディスク１８ａにドットイメージデータを記憶させたり、ハードディスク１８ａからドットイメージデータを読み出してバス１９に出力するメモリ制御部１８ｂを備えている。
　【００３３】図２に示すように、パネル部２１はキーボード部２２と液晶ディスプレイ２３とからなり、キーボード部２２には、保存キー３２、直接キー３３、削除キー３４、左カーソルキー３５、右カーソルキー３６、設定キー３７及び取消キー３８の各キーが備えられている。
　【００３４】液晶ディスプレイ２３は２行表示可能となっており、表示制御部１７に制御されてメッセージを表示する。
　【００３５】保存キー３２はドットイメージデータのハードディスク装置１８への保存を設定するためのキーであり、この保存キー３２の押下により前記フラグＦがセット、即ち、フラグＦの値が「１」にセットされる。
　【００３６】直接キー３３は直接印刷モードを実行するためのキーであり、削除キー３４は削除モードを実行するためのキーである。
　【００３７】右カーソルキー３５、左カーソルキー３６は選択候補を切り換えるためのキーである。選択候補は、全ての候補を表示すると共に現在選択候補にあるものにカーソルを表示する場合と、選択候補にあるもののみを表示する場合とがある。いずれの場合もこのキーのいずれかを押下することで選択候補を変更することができる。制御部はこの両カーソルキー３５，３６の押下の状況から選択候補を認識する。
　【００３８】設定キー３７は両カーソルキー３５，３６を操作して選択した候補の決定を指示するキーであり、取消キー３８は全ての設定を取り消すためのキーである。
　【００３９】以上のように構成されたレーザプリンタの動作について、図３〜図６を参照して以下に説明する。
　【００４０】本プリンタの動作は待機モード、印刷モード及び設定モードに大別できる。
　【００４１】待機モードは、印刷モード及び設定モード以外の状態であり、外部装置２０から印刷データが出力されるのを待機している状態である。
　【００４２】印刷モードは印刷するための或は印刷の処理を行うモードであり、外部装置２０から出力された印刷データを印刷処理するデータ印刷モードとハードディスク装置１８に記憶保存されているドットイメージデータを印刷する直接印刷モードとがある。
　【００４３】設定モードは印刷モードでの処理を決定する各種設定を行うモードである。この設定モードは、データ印刷モードでデータ保存を行う設定を行う保存モードと、直接印刷モードを設定するモード及び既に保存されているデータを削除する削除モードがある。
　【００４４】先ず、保存モードの処理について図３を参照して説明する。この処理は、レーザプリンタが待機モードにあるとき、保存キー３２が押下されることにより実行される。
　【００４５】この処理では、先ず、Ｓ３０に示すようにユーザからファイル名を入力する。即ち、ファイル名をファイル名バッファ１３ｃにファイル名を入力する。この時、液晶ディスプレイ２３の上段には、現在ファイル名バッファ１３ｃに記憶されているファイル名を示す文字列が表示され、下段には選択候補となる文字、及び「終了」或は「バックスペース」等の制御指示を可能な限り表示する。又、カーソルは下段の現在選択候補となっている文字或は制御指示の下に表示する。下段の選択候補はカーソルの位置が右端にあり、且つ右カーソルキー３６が押下されたとき右に、カーソルの位置が左端にあり、且つ左カーソルキー３５が押下されたとき左にスクロールするように制御する。
　【００４６】以下に上記Ｓ３０の処理を説明する。Ｓ３１ではＲＡＭ１３内の図示しない選択候補バッファ内の選択候補の文字或は制御指示の下に表示し、キー入力を待つ。Ｓ３２では左右のカーソルキー３５，３６が押下されたかを判定する。ここで左右のカーソルキー３５，３６が押下された場合はＳ３３を実行する。Ｓ３３では左右のカーソルキーに応じて選択候補バッファの内容を変更する。Ｓ３４では設定キー３７が押下されたかを判定する。設定キー３７が押下されていなければ、Ｓ３２の処理に戻る。ＹＥＳであれば選択候補バッファ内のものが決定されたと判断する。Ｓ３５では決定された選択候補バッファ内のものが「終了」を示すものでない場合は、Ｓ３６でファイル名バッファ１３ｃの内容を更新する。Ｓ３６では選択候補バッファ内の内容が文字であればそれをファイル名バッファ１３ｃの最後に追加し、「バックスペース」であればファイル名バッファ１３ｃの最後の文字を削除する。Ｓ３５で「終了」を示すものであった場合、Ｓ３０の処理は終了し、現在のファイル名バッファ１３ｃの内容が登録すべきファイル名となる。このように、ユーザーはドットイメージデータの内容を示すファイル名を指定することができる。
　【００４７】Ｓ３０の処理でユーザから入力されたファイル名をファイル名バッファ１３ｃに得ることができたため、次にＳ３７で、フラグＦに「１」をセットし、Ｓ３８でファイル名バッファ１３ｃの内容を決定したファイル名として記憶し、保存モード処理を終了する。
　【００４８】このように保存モード処理が実行された後、レーザプリンタは待機モードになる。この待機モード中に外部装置２０から印刷データがインターフェイス１４を介して入力されると、印刷データは一旦受信バッファ１３ａに記憶される。そして、図４に示すデータ印刷モード処理が実行される。
　【００４９】Ｓ４１で受信バッファ１３ａから印刷データが１ページ分読み出されて、Ｓ４２でＣＰＵ１１、ＲＯＭ１２及びＲＡＭ１３により印刷データが解析されて印字可能な１ページ分のドットイメージデータが作成され、このドットイメージデータがイメージバッファ１３ｂに記憶される。
　【００５０】Ｓ４３でフラグＦの値が「１」か否かが判断される。外部装置２０から印刷データを入力する前に保存キー３２が押下されて保存モードが実行されていたならば、フラグＦの値は「１」にセットされているから、Ｓ４４が実行される。
　【００５１】Ｓ４４では前記Ｓ４２で作成したドットイメージデータがイメージバッファ１３ｂから読み出されて、ファイル名バッファ１３ｃに記憶されているファイル名でメモリ制御部１８ｂによりハードディスク装置１８のハードディスク１８ａに記憶保存される。そして、Ｓ４５でイメージバッファ１３ｂに記憶されているドットイメージデータが印刷部１６により用紙上に印刷される。この印刷方法は周知の静電写真方式であるので、その詳細な説明は省略する。
　【００５２】一方、印刷データが入力されるまでに保存キー３２が押下されず、保存モード処理が実行されていなかった場合、フラグＦの値は「０」となっているので、前記Ｓ４３での判断がＮＯとなり、前記Ｓ４４が実行されずにＳ４５が実行されて、ドットイメージデータが印刷部１６により用紙上に印刷される。
　【００５３】１ページ分のドットイメージデータが印刷された後、Ｓ４６において受信バッファ１３ａに記憶された印刷データが全て印刷されたが判断される。印刷データの最後にはその旨を示す特殊コードが含まれており、この特殊コードが検出されると印刷データが全て印刷されたこととなる。印刷データが全て印刷されていなかったら、前記Ｓ４１からＳ４６までの処理が繰り返し実行される。印刷データ全て印刷されると、Ｓ４７でフラグＦが「０」にセットされる。そして、このデータ印刷モード処理が終了し、レーザプリンタは待機モードとなる。
　【００５４】以上のように、保存キー３２が押下されて保存モードが実行された後に入力された印刷データは、ドットイメージデータに変換されて用紙上に印刷されると共に、設定されたファイル名でハードディスク１８ａに記憶保存される。また、保存キー３２が押下される前に入力された印刷データ、つまり、一度印刷した印刷物を別の機会に印刷する可能性のない印刷データは、ドットイメージデータに変換されて用紙上に印刷され、ドットイメージデータのハードディスク１８ａへの記憶保存は行われない。
　【００５５】次に、ハードディスク１８ａに記憶されているドットイメージデータを印刷する直接印刷モード処理について図５を参照して説明する。この直接印刷モード処理は直接キー３３が押下されると実行される。
　【００５６】この処理は、先ず、Ｓ５０に示すように印刷したいドットイメージデータを示すファイル名を選択するファイル名選択処理が実行される。ファイル名選択処理は、先ず、Ｓ５１でハードディスク１８ａに記憶されているファイル名の一つが液晶ディスプレイ２３の上段に表示され、キー入力が待たれる。Ｓ５２では左右のカーソルキー３５，３６が押下されたかが判定される。ここで左右のカーソルキー３５，３６が押下された場合、Ｓ５３が実行される。Ｓ５３では左右のカーソルキーに応じて次のファイル名がハードディスク１８ａから読み出されて表示される。Ｓ５４では設定キー３７が押下されたかを判定する。設定キー３７が押下されなければ、Ｓ５２の処理が再度実行される。設定キー３７が押下されると、表示されているファイル名が選択されたと判断する。これで、Ｓ５０の処理は終了し、現在表示されているファイル名が選択されたファイル名として決定する。このように、ハードディスク１８ａに記憶されたドットイメージデータを印刷する場合には、ドットイメージデータの内容が示されているファイル名を選択して指定すればよく、ユーザーのファイル名指定操作が容易になり操作性が向上する。
　【００５７】Ｓ５５では、Ｓ５０にて選択されたファイル名のドットイメージデータがメモリ制御部１８ｂによりハードディスク１８ａから読み出され、Ｓ５６において、このドットイメージデータが印刷部１６により用紙上に印刷される。そして、この直接印刷モードが終了する。
　【００５８】尚、直接キー３３が押下された時点でハードディスク１８ａにファイル名及びドットイメージデータが記憶保存されていないときは、エラー処理がなされ、ブザー等の警報手段が駆動されて、その旨が操作者に報知される。そのため、ユーザーは、ハードディスク１８ａに印刷するドットイメージデータが記憶されていないことを即座に知ることができる。
　【００５９】また、ハードディスク１８ａに記憶されているドットイメージデータをファイル名と共に消去する削除モード処理について、図６を参照して説明する。この削除モード処理は、削除キー３４が押下されたときに実行される。
　【００６０】この処理は、先ず、前記直接印刷モード処理と同様にファイル名選択処理Ｓ５０が実行され、ハードディスク１８ａに記憶保存されているファイル名から消去すべきファイル名が選択される。この選択されたファイル名及びそのドットイメージデータが、Ｓ６１にてハードディスク１８ａから消去される。そして、この削除モード処理が終了する。このように、ユーザーが不要としたドットイメージデータを削除することができ、ハードディスク１８ａの記憶可能容量を確保することができる。また、ハードディスク１８ａに記憶されたドットイメージデータを削除する場合には、ドットイメージデータの内容が示されているファイル名を選択して指定すればよく、ユーザーのファイル名指定操作が容易になり操作性が向上する。
　【００６１】尚、削除キー３４が押下された時点でハードディスク１８ａにファイル名及びドットイメージデータが記憶保存されていないときは、エラー処理がなされ、ブザー等の警報手段が駆動されて、その旨が操作者に報知される。このように、ユーザーは、ハードディスク１８ａに削除するドットイメージデータが記憶されていないことを即座に知ることができる。
　【００６２】尚、以上に説明した処理中にあった、印刷データの解析及びドットイメージデータ作成の技術、ハードディスク１８ａへの書き込み及びハードディスク１８ａからの読み込みの技術、ハードディスク１８ａ中のファイルの削除の技術については周知技術であるため、詳細な説明は省略する。
　【００６３】以上詳述したように、本実施の形態のレーザプリンタでは、複数回に渡って同一印刷物を印刷する際、１度目の印刷を実行する前に保存モードにてドットイメージデータのハードディスク１８ａへの保存を設定しておけば、データ印刷モードが実行される際、ドットイメージデータがハードディスク１８ａへ記憶保存されるので、２度目以後の印刷は、新たに外部装置から印刷データを入力することなく、直接キー３３を押下するだけで直接印刷モードが実行されて、ハードディスク１８ａから記憶保存されたドットイメージデータが読み出されて印刷される。従って、２度目以後の印刷に関して印刷データの入力に要する時間や印刷データを解析しドットイメージデータを作成するのに要する時間が不要となり、高速印刷が可能である。尚、請求項の不揮発性のメモリ手段はハードディスク１８ａに対応する。請求項の第１メモリ制御手段はメモリ制御部１８ｂに対応する。請求項の第２メモリ制御手段はメモリ制御部１８ｂに対応する。請求項の印刷制御手段は、ＣＰＵ１１、ＲＯＭ１２、ＲＡＭ１３、印刷部１６に対応する。請求項のファイルデータはファイル名とドットイメージデータに対応する。また、請求項のデータ作成手段はＣＰＵ１１、ＲＯＭ１２、ＲＡＭ１３に対応する。請求項のファイル名指定手段はＣＰＵ１１、ＲＯＭ１２、ＲＡＭ１３、左右のカーソルキー３５，３６、設定キー３７、液晶ディスプレイ２３に対応する。請求項の解析データはドットイメージデータに対応する。請求項の削除手段はＣＰＵ１１、ＲＯＭ１２、ＲＡＭ１３、削除キー３４、左右のカーソルキー３５，３６、設定キー３７、液晶ディスプレイ２３に対応する。請求項の印刷指令モードは直接印刷モードに対応する。
　【００６４】本実施の形態ではレーザプリンタの例で説明したがこれに限らず、ドットインパクトプリンタやインクジェットプリンタ等の他のプリンタ或は写植機に本発明を適用することができる。
　【００６５】又、本実施の形態のパネル部２１の構成はこれに限定されるものではなく、変更は可能である。又、本実施の形態では設定モードでの各種操作をパネル部２１を利用して行っていたが、他の操作方式で行うことも可能である。又、ホストからのコマンドにより設定を行うことも可能である。
　【００６６】更に、本実施の形態では記憶媒体としてハードディスク装置を用いたが、これに限らずフロッピディスクとそのドライブ装置、或は光磁気ディスクとそのドライブ装置、或は不揮発性ＲＡＭとそのドライブ装置等に変更した構成にもできる。
　【００６７】その他、いちいち例示することはしないが、本発明の範囲を逸脱しない限り種々の変更が可能である。
　【００６８】
　【００６９】
　【００７０】
　【発明の効果】以上説明したことから明かなように、本発明の請求項１の印刷装置によれば、前記第１メモリ制御手段によって前記メモリ手段に前記ファイルデータが記憶された後において前記メモリ手段に記憶された前記ファイルデータを印刷したいときは、ユーザーが印刷指令を示し、前記第２メモリ制御手段によって前記メモリ手段から印刷指令された前記ファイルデータを読み出させ、前記印刷制御手段によってその前記ファイルデータに基づいて印刷を行うので、印刷を行う際に外部装置からの印刷データの入力を行うことなく印刷することができる。
また、入力した印刷データは前記データ印刷制御手段によって印刷され、その印刷が終了したとき、前記保存解除手段によって保存モードが解除できる。
　【００７１】また、請求項
１
　【００７２】また、請求項
２
　【００７３】また、請求項
３
　【００７４】また、請求項
４
　【００７５】また、請求項
５
　【００７６】また、請求項
６
　【００７７】また、請求項
７
　また、請求項
８
　請求項
９
に従う保存モード
また、入力した印刷データは前記データ印刷制御手段によって印刷され、その印刷が終了したとき、前記保存解除手段によって保存モードが解除できる。
　請求項
１０
また、入力した印刷データは前記データ印刷制御手段によって印刷され、その印刷が終了したとき、前記保存解除手段によって保存モードが解除できる。
　請求項
１１
また、入力した印刷データは前記データ印刷制御手段によって印刷され、その印刷が終了したとき、前記保存解除手段によって保存モードが解除できる。
【図面の簡単な説明】
　【図１】本実施の形態のレーザプリンタのブロック図である。
　【図２】レーザプリンタのパネル部を示す平面図である。
　【図３】保存モード処理を示すフローチャートである。
　【図４】データ印刷モード処理を示すフローチャートである。
　【図５】直接印刷モード処理を示すフローチャートである。
　【図６】削除モード処理を示すフローチャートである。
　【符号の説明】
　１１　ＣＰＵ
　１２　ＲＯＭ
　１３　ＲＡＭ
　１６　印刷部
　１８　ハードディスク装置
　１８ａ　ハードディスク
　１８ｂ　メモリ制御部
　２０　外部装置
　３２　保存キー
　３３　直接キー
　３４　削除キー
　３７　設定キー